(57)【要約】【課題】ＬＤ駆動が可能な表示装置において、メッセージアプリ実行時の消費電力を効果的に低減する。【解決手段】表示装置（１）の表示部（３０）において、ＢＬ（３３）は、互いに独立して発光強度を変更可能な、複数の矩形の分割領域に分割されている。主制御部（２）は、メッセージアプリケーションを実行可能である。トーク画面において、テキストメッセージを構成する各文字のうちの１つの文字の全体を表示するために割り当てられている領域を、文字表示単位領域とする。主制御部（２）は、文字表示単位領域を、複数の分割領域のうちの１つに対応させるように、表示部（３０）にトーク画面を表示させる。【選択図】図１
2020003570.tif 000002
【特許請求の範囲】
【請求項１】
バックライトを有する表示部と、
上記表示部を制御する制御装置と、を備えた表示装置であって、
上記バックライトは、互いに独立して発光強度を変更可能な、複数の分割領域に分割されており、
上記複数の分割領域はそれぞれ、矩形であり、
上記制御装置は、メッセージアプリケーションを実行可能であり、
上記メッセージアプリケーションの画面のうち、各ユーザ間のテキストメッセージの送受信に供される画面をテキスト画面とし、
上記テキスト画面において、上記テキストメッセージを構成する各文字のうちの１つの文字の全体を表示するために割り当てられている領域を、文字表示単位領域とし、
上記制御装置は、上記文字表示単位領域を、上記複数の分割領域のうちの１つに対応させるように、上記表示部に上記テキスト画面を表示させる、表示装置。
【請求項２】
上記テキスト画面には、
ユーザに対して特定の情報を提示する領域である特定領域と、
上記特定領域を除いた領域である非特定領域と、が含まれており、
上記テキスト画面において、上記テキストメッセージを表示するための領域をメッセージ表示領域とし、
上記制御装置は、
上記メッセージ表示領域を上記特定領域として設定し、
上記特定領域の少なくとも一部の明るさが、上記非特定領域の明るさよりも明るくなるように、上記表示部に上記テキスト画面を表示させる、請求項１に記載の表示装置。
【請求項３】
上記テキスト画面において、上記各ユーザを識別するためのアイコン画像を表示するための領域をアイコン表示領域とし、
上記制御装置は、
上記アイコン表示領域を上記特定領域としてさらに設定し、
上記特定領域の少なくとも一部の明るさが、上記非特定領域の明るさよりも明るくなるように、上記表示部に上記テキスト画面を表示させる、請求項２に記載の表示装置。
【請求項４】
上記テキスト画面において、上記各ユーザの入力操作に応じた、上記テキストメッセージに代わる特定画像を表示するための領域を特定画像表示領域とし、
上記制御装置は、
上記特定画像表示領域を上記特定領域としてさらに設定し、
上記特定領域の少なくとも一部の明るさが、上記非特定領域の明るさよりも明るくなるように、上記表示部に上記テキスト画面を表示させる、請求項３に記載の表示装置。
【請求項５】
上記制御装置は、上記非特定領域の明るさを所定の最小値まで低減させて、上記表示部に上記テキスト画面を表示させる、請求項２から４のいずれか１項に記載の表示装置。
【請求項６】
上記テキスト画面において、
上記各ユーザを識別するためのアイコン画像を表示するための領域をアイコン表示領域とし、
上記各ユーザの入力操作に応じた、上記テキストメッセージに代わる特定画像を表示するための領域を特定画像表示領域とし、
上記特定領域には、
第１特定領域と、
上記第１特定領域を除いた領域である第２特定領域と、が含まれており、
上記制御装置は、
上記メッセージ表示領域、上記アイコン表示領域、および上記特定画像表示領域のうちの少なくとも一部分を上記第１特定領域として設定し、当該一部分以外の領域を上記第２特定領域として設定し、
（ｉ）上記第１特定領域の明るさが、上記第２特定領域の明るさ、および、上記非特定領域の明るさよりも明るくなるように、かつ、（ｉｉ）上記第２特定領域の明るさが、上記非特定領域の明るさ以上となるように、上記表示部に上記テキスト画面を表示させる、請求項２から５のいずれか１項に記載の表示装置。
【請求項７】
上記複数の分割領域の数は、６０以上かつ１２００以下である、請求項１から６のいずれか１項に記載の表示装置。
【請求項８】
上記テキスト画面は、縦方向および横方向を有しており、
上記文字表示単位領域の横方向の長さをＣｈとし、
上記文字表示単位領域の縦方向の長さをＣｖとして、
上記制御装置は、０．９≦Ｃｖ／Ｃｈ≦１．１の関係が満たされるように、上記表示部に上記テキスト画面を表示させる、請求項１から７のいずれか１項に記載の表示装置。
【発明の詳細な説明】
【技術分野】
【０００１】
本開示の一態様は、ローカルディミング（Local Dimming，以下、単に「ＬＤ」と称する）駆動が可能な表示装置に関する。
【背景技術】
【０００２】
近年、表示装置のＬＤ駆動に関する様々な技術が提案されている。例えば、特許文献１には、ＬＤ駆動時における表示装置の消費電力を低減することを目的とした技術が開示されている。
【先行技術文献】
【特許文献】
【０００３】
【特許文献１】特開２０１７−４５０３０号公報
【発明の概要】
【発明が解決しようとする課題】
【０００４】
近年、一部の表示装置には、様々なアプリ（より厳密には、「アプリケーション」または「アプリケーションソフトウェア」と称される）を実行する機能が設けられている。例えば、当該表示装置によって、メッセージアプリ（複数のユーザの間でのテキストチャットを行うためのアプリ）が実行される場合がある。
【０００５】
但し、後述するように、メッセージアプリの実行時に、表示装置の消費電力を効果的に低減するための工夫には、なお改善の余地がある。本開示の一態様の目的は、ＬＤ駆動が可能な表示装置において、メッセージアプリ実行時の消費電力を効果的に低減することにある。
【課題を解決するための手段】
【０００６】
上記の課題を解決するために、本開示の一態様に係る表示装置は、バックライトを有する表示部と、上記表示部を制御する制御装置と、を備えた表示装置であって、上記バックライトは、互いに独立して発光強度を変更可能な、複数の分割領域に分割されており、上記複数の分割領域はそれぞれ、矩形であり、上記制御装置は、メッセージアプリケーションを実行可能であり、上記メッセージアプリケーションの画面のうち、各ユーザ間のテキストメッセージの送受信に供される画面をテキスト画面とし、上記テキスト画面において、上記テキストメッセージを構成する各文字のうちの１つの文字の全体を表示するために割り当てられている領域を、文字表示単位領域とし、上記制御装置は、上記文字表示単位領域を、上記複数の分割領域のうちの１つに対応させるように、上記表示部に上記テキスト画面を表示させる。
【発明の効果】
【０００７】
本開示の一態様に係る表示装置によれば、ＬＤ駆動が可能な表示装置において、メッセージアプリ実行時の消費電力を効果的に低減できる。
【図面の簡単な説明】
【０００８】
【図１】実施形態１の表示装置の要部の構成を示す機能ブロック図である。
【図２】分割領域を説明するための図である。
【図３】（ａ）は比較例の表示装置におけるＢＬの周囲の構成を概略的に示す図であり、（ｂ）は図１の表示装置におけるＢＬの周囲の構成を概略的に示す図である。
【図４】サイズ設定部の処理の一例について説明するための図である。
【図５】図１の表示装置においてトーク画面を表示する処理の流れを例示するフローチャートである。
【図６】（ａ）は、表示部に表示された画面における、特定領域および非特定領域の一例を示す図であり、（ｂ）は、（ａ）に対応するＢＬ特定領域およびＢＬ非特定領域の一例を示す図である。
【図７】メッセージエリアと分割領域との位置関係の一例を示す図であり、（ａ）は表示位置変更前の位置関係の一例を示す図であり、（ｂ）は表示位置変更後の位置関係の一例を示す図である。
【図８】図５の処理の変形例を例示するフローチャートである。
【図９】実施形態２を説明するための図であり、（ａ）は、表示部に表示された画面における、特定領域および非特定領域の一例を示す図であり、（ｂ）は、（ａ）に対応するＢＬ特定領域およびＢＬ非特定領域の一例を示す図である。
【図１０】実施形態３を説明するための図であり、（ａ）および（ｂ）は、第１特定領域および第２特定領域の設定例を説明するための図である。
【図１１】実施形態４の表示装置の要部の構成を示す機能ブロック図である。
【図１２】実施形態５の表示装置の要部の構成を示す機能ブロック図である。
【図１３】（ａ）〜（ｃ）はそれぞれ、文字表示単位領域の好適な縦横比について説明するための図である。
【発明を実施するための形態】
【０００９】
〔実施形態１〕
実施形態１について、以下に説明する。説明の便宜上、以降の各実施形態では、実施形態１にて説明した部材と同じ機能を有する部材については、同じ符号を付記し、その説明を繰り返さない。
【００１０】
（表示装置１の概要）
図１は、表示装置１の要部の構成を示す機能ブロック図である。表示装置１は、入力画像（以下、ＩＭＧ１）を表示可能である。一例として、ＩＭＧ１は、後述するアプリ実行部１０（アプリケーション実行部）によって供されるテキストチャットの画面である。なお、当該テキストチャットは、トークとも称される。このため、ＩＭＧ１（テキストチャットの画面）は、トーク画面とも称される。なお、ＩＭＧ１の縦方向（垂直方向）および横方向（水平方向）は、予め規定されている。同様に、後述するタッチパネル３（より具体的には、タッチパネル３が備える各部材）の縦方向および横方向も、予め規定されている。つまり、トーク画面およびタッチパネル３はいずれも、予め規定された縦方向および横方向を有する。縦方向は、垂直方向（あるいはＶ方向）とも称される。横方向は、水平方向（あるいはＨ方向）とも称される。
【００１１】
但し、表示装置１が携帯型の表示装置（後述）として実現される場合、タッチパネル３（表示画面）の向きの変更に伴い縦横表示を変更することが可能である。そのため、本明細書中の「縦」および「横」の表記は、表示装置１を使用するときのタッチパネル３の向きを限定するものでは無いことに留意されたい。
【００１２】
表示装置１は、主制御部２（制御装置）、タッチパネル３、記憶部４、およびバッテリ５を備える。表示装置１は、例えば携帯型の表示装置（例：スマートフォン、タブレット）であってよい。但し、表示装置１は、据え置き型の表示装置（例：デスクトップＰＣ（Personal Computer））であってもよい。主制御部２は、表示装置１の各部を統括的に制御する。具体的には、主制御部２は、タッチパネル３（特に、表示部３０）を制御する。記憶部４は、主制御部２が処理するプログラム等を記憶する。バッテリ５は、表示装置１の各部に供給される電力を蓄える。つまり、表示装置１の各部は、バッテリ５により駆動される。
【００１３】
タッチパネル３は、表示部３０と入力部３５とが一体として（重なり合うように）設けられた装置である。入力部３５は、ユーザの入力操作（以下、ユーザ操作）を受け付ける。一例として、タッチパネル３（入力部３５）は、当該タッチパネル３に対するタッチ操作を、ユーザ操作として受け付ける。但し、本開示の一態様に係る表示装置において、表示部３０と入力部３５とが別体として設けられてもよい。例えば、入力部３５は、公知のハードキー（ハードウェアキー）であってもよい。
【００１４】
表示部３０は、例えば液晶ディスプレイである。表示部３０は、ＩＭＧ１を表示する。また、表示部３０は、主制御部２によって処理された後のＩＭＧ１を表示することもできる。表示部３０は、パネル駆動部３１、液晶表示パネル３２、ＢＬ（Back Light，バックライト）３３、およびＢＬ駆動部３４を備える。
【００１５】
パネル駆動部３１は、主制御部２で生成された液晶データ（液晶パネル階調データ）に従い、液晶表示パネル３２の駆動を制御する。液晶表示パネル３２は、パネル駆動部３１の制御を受けて、ＩＭＧ１を表示する。ＢＬ３３は、液晶表示パネル３２に光（例：白色光）を照射する。ＢＬ３３は、独立制御可能な複数の光源３３１（図２・３を参照）を備える。ＢＬ３３は、液晶表示パネル３２の背面側（液晶表示パネル３２の表示面とは反対側）に、当該液晶表示パネル３２と重なるように配置されている。図１では、説明の便宜上、液晶表示パネル３２とＢＬ３３との重なり合いが正確に図示されていないことに留意されたい。ＢＬ駆動部３４は、主制御部２で生成されたＢＬデータ（または補正されたＢＬデータ）に従い、ＢＬ３３の点灯を制御する。
【００１６】
（ＬＤ機能）
液晶表示パネル３２の表示領域は、マトリクス状に分割されている。以下、マトリクス状に分割された表示領域のそれぞれを、分割領域１５０と称する。後述するＢＬデータ生成部２３および液晶データ生成部２４は、分割領域１５０（ローカルエリア、ブロック）毎にＢＬ３３の各光源３３１の点灯制御を行う。このように、ＢＬデータ生成部２３および液晶データ生成部２４は、ＬＤ機能を有する。つまり、複数の分割領域１５０はそれぞれ、互いに独立して発光強度（例：輝度）を変更可能な領域である。
【００１７】
図２は、分割領域１５０を説明するための図である。図２の例では、液晶表示パネル３２の横方向および縦方向のそれぞれの長さを、ＸおよびＹとして表す。液晶表示パネル３２の水平画素数はＬｍである。また、液晶表示パネル３２の垂直画素数をＬｎである。従って、液晶表示パネル３２の画素数は、Ｌｍ×Ｌｎである。
【００１８】
さらに、図２の例では、液晶表示パネル３２の表示領域は、横方向にｂｍ分割され、かつ、縦方向にｂｎ分割されている。従って、表示領域は、ｂｍ×ｂｎ個の分割領域１５０に分割されている。以下、ＢＬ３３における分割領域１５０の個数（総数）を、ＢＬ分割数とも称する。ＢＬ分割数をＫとすると、Ｋ＝ｂｍ×ｂｎである。
【００１９】
複数の分割領域１５０のそれぞれは、矩形である。分割領域１５０の幅（水平方向の長さ）は、Ｄｈ＝Ｘ／ｂｍとして表される。同様に、分割領域１５０の高さ（垂直方向の長さ）は、Ｄｖ＝Ｙ／ｂｎとして表される。図２の例では、ＢＬ３３は、複数の光源３３１を１つ含むように、ｂｍ×ｂｎ個の分割領域１５０に分割されている。但し、１つの分割領域１５０に、２つ以上の光源３３１が割り当てられても構わない。
【００２０】
実施形態１では、Ｘ、Ｙ、Ｌｍ、Ｌｎ、ｂｍ、およびｂｎのそれぞれの値を示すデータ（以下、表示部ハードウェアデータ）が、記憶部４に予め格納されている。一例として、表示装置１の製造時に、当該表示装置１の製造者によって、表示部ハードウェアデータが記憶部４に格納されてよい。あるいは、表示部ハードウェアデータは、表示装置１の製造者のクラウドサーバ上に保存されていてもよい。この場合、表示装置１は、ウェブサイトから表示部ハードウェアデータをダウンロードし、ダウンロードした表示部ハードウェアデータを記憶部４に格納してもよい。主制御部２は、表示部ハードウェアデータを用いて、各種の演算を実行できる。
【００２１】
（従来のＢＬとの相違点）
図３は、表示装置１のＢＬ３３と従来のＢＬとの相違点について説明するための図である。以下、表示装置１の比較例としての表示装置を、表示装置１ｒと称する。表示装置１ｒは、従来の表示装置（ＬＤ機能を有しない表示装置）の一例である。また、表示装置１ｒが備えるＢＬを、ＢＬ３３ｒと称する。ＢＬ３３ｒは、従来のＢＬの一例である。
【００２２】
図３の（ａ）には、表示装置１ｒのＢＬ３３ｒの周囲の構成が概略的に示されている。ＢＬ３３ｒは、ＢＬ３３とは異なり、１つの光源３３１ｒと、導光部材３９と、を有する。導光部材３９は、例えば導光板である。表示装置１ｒでは、液晶表示パネル３２と重なり合うように（液晶表示パネル３２の直下に）、導光部材３９が配置されている。そして、導光部材３９の側面に、光源３３１ｒが配置されている。このように、表示装置１ｒでは、光源３３１ｒは、液晶表示パネル３２と重なり合うように配置されていない。
【００２３】
表示装置１ｒでは、光源３３１ｒから発せられた光は、導光部材３９に入射する。そして、導光部材３９は、当該光を導光し、液晶表示パネル３２に向かわせる。このように、ＬＤ機能を有しない表示装置（光源を１つのみ有する表示装置）では、導光部材３９を用いることで、ＢＬ３３ｒに光源３３１ｒから発せられた光を向かわせている。このため、ＢＬ３３ｒの所定の１つの部分領域の発光強度を、他の部分領域と独立して変更することはできない。
【００２４】
これに対し、図３の（ｂ）には、表示装置１のＢＬ３３の周囲の構成が概略的に示されている。上述の通り、ＢＬ３３は、複数の光源３３１を有する。複数の光源３３１はそれぞれ、液晶表示パネル３２の直下に配置されている。このため、表示装置１では、表示装置１ｒとは異なり、導光部材３９を省略できる。上述の通り、ＢＬ３３によれば、１つの分割領域１５０（部分領域）の発光強度を、別の分割領域の発光強度と独立して変更できる。
【００２５】
さらに、ＢＬ３３は、従来のＬＤ機能を有する表示装置（以下、従来のＬＤ表示装置）に比べて、分割領域１５０の個数（上述のＫ）が十分大きく設定されることが好ましい。このことから、ＢＬ３３は、「超多分割ＢＬ」と称されてもよい。後述するように、超多分割ＢＬ（ＢＬ３３）によれば、例えば、メッセージエリアの端部（横方向および縦方向のそれぞれの端部）を、分割領域１５０の端部（横方向および縦方向のそれぞれの端部）と一致させやすくなる。このため、表示装置１において、メッセージアプリ（メッセージアプリケーション）実行時の消費電力を効果的に低減できる。
【００２６】
（主制御部２）
主制御部２は、アプリ実行部１０および表示制御部２０を備える。アプリ実行部１０は、サイズ設定部１１および領域設定部１２を備える。また、表示制御部２０は、ＢＬデータ生成部２３および液晶データ生成部２４を備える。
【００２７】
アプリ実行部１０は、所定のユーザ操作が入力部３５に施されたことを契機として、当該ユーザ操作に応じたアプリを実行する。実施形態１では、アプリ実行部１０が、メッセージアプリを実行する場合を例示する。一例として、ユーザは、タッチパネル３（表示部３０）に表示されたメッセージアプリのアイコンに対して、タッチ操作を施す。アプリ実行部１０は、当該タッチ操作を契機として、メッセージアプリを実行する。アプリ実行部１０は、トーク画面を、ＩＭＧ１として表示制御部２０に供給する。
【００２８】
アプリ実行部１０は、ユーザ操作に応じて、またはメッセージの受信に伴い、トーク画面を生成する。そして、アプリ実行部１０は、生成したトーク画面を描画する。ユーザは、トーク画面に対して入力操作を行うことで、別のユーザ（トーク相手）との間のテキストチャットを進行させることができる。つまり、トーク画面は、各ユーザ間のチャット形式でのテキストメッセージの送受信に供される画面ともいえる。
【００２９】
例えば、ユーザは、メッセージをテキストとして入力し、当該メッセージをトーク相手に送信する操作を行う。アプリ実行部１０は、これらの操作を受けて、メッセージエリア（メッセージ表示領域とも称される）を表す画像を、トーク画面内に新たに描画する。メッセージエリアとは、ユーザによって入力されたメッセージとしてのテキストメッセージを表示するための領域である。メッセージエリア内には、当該テキストメッセージが表示される。
【００３０】
なお、本明細書では、メッセージアプリとして、チャット形式でのテキストメッセージの送受信を実現するものを例に挙げて説明するが、チャット形式である必要は必ずしもない。つまり、各ユーザ間のテキストメッセージの送受信を実現できるメッセージアプリであればよい。この場合、トーク画面は、当該テキストメッセージの送受信に供されるテキスト画面と称することができる。
【００３１】
以下、メッセージエリア内において、１つの文字の全体を表示するために割り当てられている領域を、文字表示単位領域（以下、Ｃｕｎｉｔ）と称する。以下の例では、メッセージエリアは、複数のＣｕｎｉｔを含むものとする。つまり、テキストメッセージは、複数の文字によって構成されているものとする。特に、実施形態１では、メッセージエリアが、Ｃｕｎｉｔを基本単位（最小単位）として構成されている場合を例示する。
【００３２】
図４は、サイズ設定部１１の処理の一例について説明するための図である。図４では、トーク画面が格子状（マトリクス状）に区切られている様子が図示されている。以下に述べるように、図４の１つの格子は、１つの分割領域１５０に対応する。従って、図４の例では、点線で示されているＣｕｎｉｔの位置に、１つの文字が表示される。サイズ設定部１１は、Ｃｕｎｉｔのサイズを設定する。具体的には、サイズ設定部１１は、Ｃｕｎｉｔのサイズを、１つの分割領域１５０に対応するように設定する。
【００３３】
より具体的には、サイズ設定部１１は、１つの分割領域１５０のサイズを基準として、Ｃｕｎｉｔの高さ（以下、Ｃｖ）を設定する。一例として、サイズ設定部１１は、以下の式（１）、
Ｃｖ＝Ｎ×Ｄｖ＝Ｎ×（Ｙ／ｂｎ）…（１）
によって、Ｃｖを設定する。Ｎは、任意の正の整数である。つまり、サイズ設定部１１は、Ｃｖを、Ｄｖ（分割領域１５０の高さ）の整数倍に設定する。当該構成によれば、特定領域（後述）の高さ方向の端部を、分割領域１５０の端部に一致させることができる。Ｎの値は、任意に設定されてよい。図４の例では、Ｎ＝１に設定されている。この場合、ＣｖはＤｖに等しく設定される。サイズ設定部１１は、記憶部４から表示部ハードウェアデータを読み出すことにより、式（１）の演算を実行する。
【００３４】
なお、メッセージアプリにおいて、Ｃｕｎｉｔのアスペクト比（以下、ＡＳＲ）は、予め設定されているものとする。従って、Ｃｕｎｉｔの幅（以下、Ｃｈ）は、Ｃｖに応じて設定されればよい。例えば、サイズ設定部１１は、Ｃｈ＝ＡＳＲ×Ｃｖとして、Ｃｈを設定すればよい。このように、Ｃｈについては、必ずしもＤｈ（分割領域の幅）の整数倍に設定される必要はない。
【００３５】
但し、Ｃｈは、Ｄｈの整数倍であることが好ましい。当該構成によれば、特定領域の幅方向の端部についても、分割領域１５０の端部に一致させることができる。後述するように、特定領域の高さ方向および幅方向の端部を、分割領域１５０の高さ方向および幅方向の端にそれぞれ一致させることにより、消費電力をより効果的に実現できる。
【００３６】
また、図４では、メッセージエリア（ＭＥＳ）として、例えば、１行分のメッセージを表示するメッセージエリア（ＭＥＳ１）と、２行分のメッセージを表示するメッセージエリア（ＭＥＳ２）とを例示している。メッセージアプリにおいて、メッセージエリアの１行に含まれる最大文字数は予め決められている。アプリ実行部１０は、最大文字数以上の入力が行われるたびに、又は改行に係るユーザ操作を受け付けるたびに、メッセージエリアに１行追加する。つまり、メッセージエリアの高さは、メッセージの行数に応じて調整される。
【００３７】
また、アイコンエリア（アイコン表示領域）およびスタンプエリア（特定画像表示領域）についても、Ｃｕｎｉｔを基本単位（最小単位）として構成されている。アイコンエリアとは、各ユーザを識別するためのアイコン画像を表示するための領域である。具体的には、アイコンエリアには、メッセージの授受を行う相手を特定するためのアイコン画像が表示される。スタンプエリアとは、ユーザ操作に応じた、メッセージとしてのスタンプ画像（特定画像）を表示する領域である。本明細書でいうスタンプ画像とは、装飾文字、静止画像および／または動画像を含む、テキストメッセージに代わるメッセージである。
【００３８】
また、メッセージアプリにおいて、トーク画面におけるメッセージエリア、アイコンエリアおよびスタンプエリアの初期表示予定位置は、予め設定されている。例えば、トーク相手から受信したテキストメッセージを表示するメッセージエリア、およびトーク相手から受信したスタンプ画像を表示するスタンプエリアは、トーク画面の一方（例えば左側）にトークの進捗に従って表示されるよう設定されている。アイコンエリアは、トーク相手からのメッセージエリアに隣接する位置（例えばトーク相手から受信したメッセージを表示するメッセージエリアまたはアイコンエリアの左側または左上側）に表示されるように設定されている。表示装置１のユーザが送信するテキストメッセージを表示するメッセージエリア、および当該ユーザが送信するスタンプ画像を表示するスタンプエリアは、トーク画面の他方（例えば右側）にトークの進捗に従って表示されるように設定されている。
【００３９】
さらに、本明細書では、トーク画面のうち、ユーザに対して特定の情報を提示する領域を、特定領域と称する。一例として、特定領域は、トーク時に、ユーザにとっての重要性が高いと考えられる情報が表示される領域である。このことから、特定領域は、重要表示領域と称されてもよい。メッセージエリア、アイコンエリアおよびスタンプエリアは、特定領域（重要表示領域）の一例である。ユーザは、トーク時には、トーク相手との意思疎通を図るために、メッセージエリア、アイコンエリアおよびスタンプエリアに特に注目するためである。
【００４０】
これに対し、トーク画面のうち、特定領域を除いた領域を、非特定領域と称する。このように、本明細書において述べる例では、トーク画面には、特定領域と非特定領域とが含まれているものとする。非特定領域は、非重要表示領域と称されてもよい。一例として、非重要表示領域は、トーク画面に、ユーザに対する情報提示の重要性がそれほど高くないと考えられる領域である。
【００４１】
領域設定部１２は、トーク画面内の特定領域および非特定領域をそれぞれ設定する。つまり、領域設定部１２は、トーク画面を特定領域と非特定領域とに区分する。一例として、領域設定部１２は、メッセージエリアとアイコンエリアとスタンプエリアとを、特定領域として設定する（後述の図６も参照）。これに対し、領域設定部１２は、トーク画面のうち、特定領域（メッセージエリア、アイコンエリア、およびスタンプエリア）を除いた領域を、非特定領域として設定する。
【００４２】
また、領域設定部１２は、メッセージを送信または受信するときに、当該メッセージを表示するメッセージエリアの初期表示予定位置を特定した後、当該初期表示予定位置が分割領域１５０と一致しているか否かを判定する。具体的には、領域設定部１２は、表示するメッセージエリアの端部が、分割領域１５０の端部（グリッド、図４参照）と一致するか否かを判定する。例えば、メッセージエリアの任意の位置（例えばメッセージエリアの左上隅の位置）が、分割領域１５０の、メッセージエリアの当該任意の位置と対応する任意の位置（例えば分割領域１５０の左上隅の位置）と一致しているか否かを判定する。
【００４３】
領域設定部１２は、一致していないと判定した場合には、表示するメッセージエリアが分割領域１５０と一致するように、メッセージエリアの表示位置を変更する。具体的には、アプリ実行部１０は、メッセージエリアの上記任意の位置（第１所定位置）と、分割領域１５０の上記任意の位置（第２所定位置）とを一致させるように、メッセージエリアの表示位置を変更する。例えば、アプリ実行部１０は、複数の分割領域１５０の第２所定位置のうち、メッセージエリアの第１所定位置から最も近い位置に存在する、分割領域１５０の第２所定位置を、メッセージエリアの第１所定位置として特定する。
【００４４】
アイコンエリアおよびスタンプエリアについても、メッセージエリアと同様に、初期表示予定位置と分割領域１５０とが一致しているか否かが判定され、一致していない場合には、分割領域１５０と一致するように、アイコンエリアおよびスタンプエリアの表示位置が変更される。
【００４５】
アプリ実行部１０は、サイズ設定部１１および領域設定部１２の処理の後に、トーク画面を生成する。具体的には、アプリ実行部１０は、トーク画面中における、各オブジェクトを描画する（各メッセージの画像、アイコン画像またはスタンプ画像を構成する画素群のデータを設定する）。例えば、アプリ実行部１０は、アイコンエリア内にアイコン画像を描画する。また、アプリ実行部１０は、スタンプエリア内にスタンプ画像を描画する。
【００４６】
さらに、アプリ実行部１０は、メッセージエリア内にテキストを描画する。より具体的には、アプリ実行部１０は、サイズ設定部１１によって設定されたＣｕｎｉｔのサイズに準拠するように、テキストメッセージを構成する各文字を描画する。
【００４７】
そして、アプリ実行部１０は、生成したトーク画面を、ＩＭＧ１（入力画像）として表示制御部２０に供給する。さらに、アプリ実行部１０は、トーク画面における、（ｉ）特定領域の位置を示す情報（特定領域位置情報）、および、（ｉｉ）非特定領域の位置を示す情報（非特定領域位置情報）を、表示制御部２０（ＢＬデータ生成部２３および液晶データ生成部２４のそれぞれ）に供給する。
【００４８】
続いて、表示制御部２０の動作について述べる。ＬＤ機能を用いた処理が行われる場合、ＢＬデータ生成部２３は、トーク画面（ＩＭＧ１）の画像情報に基づき、ＢＬ３３の輝度を制御するＢＬデータを生成する。「ＢＬの輝度」は、「ＢＬの発光強度」の一例である。ＢＬデータ生成部２３は、トーク画面を各分割領域１５０に対応する領域に分割し、各領域の画像情報に応じて、各分割領域１５０に含まれる光源３３１の光源輝度値（分割領域１５０毎の光源輝度値）を設定する。ＢＬデータ生成部２３は、当該光源輝度値を示すデータを、ＢＬデータとして生成する。
【００４９】
各領域の画像情報は、例えば、平均画像輝度レベル（Average Picture Level，ＡＰＬ）、画像輝度の最大値ｍａｘ、画像輝度の最小値ｍｉｎ、または画像輝度のヒストグラム等の、画像輝度を示す情報である。また、光源輝度値は、例えば光源３３１がＬＥＤ（Light Emitting Diode，発光ダイオード）である場合、そのＰＷＭ（Pulse Width Modulation，パルス幅変調）値に対応する値を算出したものである。
【００５０】
さらに、ＢＬデータ生成部２３は、特定領域位置情報および非特定領域位置情報に応じて、生成したＢＬデータを補正する。以下、特定領域に対応するＢＬ３３の領域を、ＢＬ特定領域と称する。これに対し、非特定領域に対応するＢＬ３３の領域を、ＢＬ非特定領域と称する。
【００５１】
ＢＬデータ生成部２３は、特定領域情報が示す特定領域の位置に対応する分割領域１５０を、ＢＬ特定領域として特定する。また、ＢＬデータ生成部２３は、非特定領域情報が示す非特定領域の位置に対応する分割領域１５０を、ＢＬ非特定領域として特定する。但し、ＢＬデータ生成部２３は、ＢＬ３３の領域のうち、ＢＬ特定領域を除いた領域を、ＢＬ非特定領域として特定してもよい。
【００５２】
ＢＬデータ生成部２３は、ＢＬ特定領域の少なくとも一部の輝度が、ＢＬ非特定領域の輝度よりも大きくなるように、ＢＬデータを補正する。ＢＬデータ生成部２３は、補正後のＢＬデータ（以下、補正後ＢＬデータ）を、ＢＬ駆動部３４および液晶データ生成部２４のそれぞれに供給する。
【００５３】
一例として、ＢＬデータ生成部２３は、（ｉ）ＢＬ特定領域の輝度を維持させ、かつ、（ｉｉ）ＢＬ非特定領域の輝度を低下させるように、ＢＬデータを補正する。あるいは、ＢＬデータ生成部２３は、（ｉ）ＢＬ特定領域の輝度を増加させ、かつ、（ｉｉ）ＢＬ非特定領域の輝度を低下させてもよい。このように、ＢＬデータ生成部２３は、ＢＬ特定領域とＢＬ非特定領域とで異なる様式によって、ＢＬ３３の発光強度を制御する。このような補正後ＢＬデータを用いて、ＢＬ駆動部３４にＢＬ３３を駆動させることにより、表示部３０にトーク画面を表示させる場合に、消費電力の増加を抑制しつつ、特定領域の輝度を非特定領域の輝度に比べて相対的に大きくできる。つまり、消費電力の増加を抑制しつつ、特定領域を強調することが可能となる。
【００５４】
液晶データ生成部２４は、ＢＬデータ生成部２３から供給されたＢＬデータ（補正後ＢＬデータ）と、ＩＭＧ１の画像情報とに基づき、液晶表示パネル３２を制御する液晶データを生成する。具体的には、液晶データ生成部２４は、補正後ＢＬデータ、および、光の拡散の仕方を数値で表したデータである輝度拡散関数（ＰＳＦ、Point Spread Function）に基づいて、ＢＬ３３の輝度分布を算出する。液晶データ生成部２４は、ＩＭＧ１の画像輝度（正規化した値）のそれぞれを、ＢＬ３３の輝度分布において対応する輝度値（正規化した値）で除算することで、液晶表示パネル３２の各絵素の出力値（液晶透過率）を決定する。液晶データは、当該液晶透過率を示すデータである。一例として、液晶データ生成部２４は、輝度値が低い場合には、当該低い輝度値を補償するように、液晶透過率をより高い値に設定してよい。液晶データ生成部２４は、生成した液晶データを、パネル駆動部３１に送信する。
【００５５】
（表示装置１におけるトーク画面の表示処理の流れ）
図５は、表示装置１において、トーク画面（ＩＭＧ１）を表示する処理の流れを例示するフローチャートである。図５は、実施形態１における表示装置１の処理の一例について説明するための図である。
【００５６】
まず、所定のユーザ操作を受けて、アプリ実行部１０は、メッセージアプリを起動させる。サイズ設定部１１は、記憶部４から表示部ハードウェアデータを読み出す（Ｓ１）。そして、サイズ設定部１１は、上述の式（１）に示されるように、表示部ハードウェアデータに基づいて、Ｃｖ（Ｃｕｎｉｔ（文字表示単位領域）の高さ）を設定する。また、サイズ設定部１１は、例えば予め決められた式に従って、Ｃｈ（Ｃｕｎｉｔの幅）を設定する。これにより、サイズ設定部１１は、Ｃｕｎｉｔのサイズを設定する（Ｓ２）。
【００５７】
その後、領域設定部１２は、メッセージエリアの初期表示予定位置を特定し、当該初期表示予定位置が分割領域１５０に一致するか否かを判定する。本実施形態では、領域設定部１２は、Ｈ方向およびＶ方向の両方向について、初期表示予定位置と分割領域１５０とが一致するか否かを判定する。Ｈ方向およびＶ方向のいずれかの方向において、初期表示予定位置が分割領域１５０に一致していない場合には、メッセージエリアが分割領域１５０と一致するように、メッセージエリアの表示位置を設定する（Ｓ３）。領域設定部１２は、アイコンエリアおよびスタンプエリアの場合についても同様に、初期表示予定位置が分割領域１５０と一致するか否かを判定し、一致していない場合には、分割領域１５０と一致するようにアイコンエリアおよびスタンプエリアの表示位置を設定する。
【００５８】
その後、領域設定部１２は、メッセージエリアを特定領域として設定するとともに（Ｓ３）、メッセージエリアを除いた領域を非特定領域として設定する。領域設定部１２は、アイコンエリアおよびスタンプエリアについても同様に、アイコンエリアおよびスタンプエリアを特定領域として設定する。
【００５９】
続いて、アプリ実行部１０は、トーク画面を生成する。例えば、アプリ実行部１０は、メッセージエリア内にテキストメッセージを描画する。
【００６０】
Ｓ４の後に、ＢＬデータ生成部２３は、トーク画面（ＩＭＧ１）に基づいて、ＢＬデータを生成する。そして、ＢＬデータ生成部２３は、特定領域および非特定領域に応じて、ＢＬデータを補正する。ＢＬ駆動部３４は、補正後ＢＬデータに基づき、ＢＬ３３を駆動する。また、液晶データ生成部２４は、補正後ＢＬデータに応じて、液晶データを生成する。パネル駆動部３１は、当該液晶データに基づいて、液晶表示パネル３２を駆動する。
【００６１】
その結果、特定領域が非特定領域よりも明るく表示されるように、表示部３０にトーク画面を表示させることができる。つまり、主制御部２で処理された後のトーク画面を、表示部３０に表示させることができる（Ｓ５）。
【００６２】
アプリ実行部１０は、次のメッセージの入力があったか否かを判定する（Ｓ６）。次のメッセージの入力があった場合には（Ｓ６でＹＥＳ）、Ｓ３の処理に戻る。つまり、アプリ実行部１０は、次のメッセージを表示するときの表示位置の設定を行った後（Ｓ４）、特定領域および非特定領域の設定を行う（Ｓ５）。その後、次のメッセージを反映したトーク画面を表示する（Ｓ６）。一方、例えば所定時間、次のメッセージの入力が無い場合には（Ｓ６でＮＯ）、本処理は終了となる。
【００６３】
図６の（ａ）には、タッチパネル３（表示部３０）に表示された画面における、特定領域および非特定領域の一例が示されている。以下、図面中では、特定領域を総称的に「ＣＡ」という記号を用いて表す。同様に、非特定領域を総称的に「ＮＣＡ」という記号を用いて表す。図６の（ａ）に示されるように、実施形態１では、アイコンエリア（ＣＡ１）、メッセージエリア（ＣＡ２）、およびスタンプエリア（ＣＡ３）が、特定領域として設定される。これに対し、非特定領域（ＮＣＡ）は、トーク画面のうち、ＣＡ１、ＣＡ２およびＣＡ３を除いた領域として設定される。
【００６４】
図６の（ｂ）には、図６の（ａ）に対応するＢＬ特定領域およびＢＬ非特定領域の一例が示されている。以下、図面中では、ＢＬ特定領域を総称的に「ＢＬＣＡ」という記号を用いて表す。同様に、ＢＬ非特定領域を総称的に「ＢＬＮＣＡ」という記号を用いて表す。図６の（ｂ）に示されるように、実施形態１のＢＬ特定領域（以下、ＢＬＣＡ１、ＢＬＣＡ２およびＢＬＣＡ３）は、それぞれ図６の（ａ）のＣＡ１、ＣＡ２およびＣＡ３に対応する。同様に、ＢＬ非特定領域（ＢＬＮＣＡ）は、図６の（ａ）のＮＣＡに対応する。つまり、ＢＬＮＣＡは、ＢＬ３３の領域のうち、ＢＬＣＡ１〜ＢＬＣＡ３を除いた領域である。
【００６５】
なお、実施形態１では、１つのＣｕｎｉｔの大きさは１つの分割領域１５０の大きさと略同一となるように設定される。しかし、図６の（ｂ）では、図面の明瞭性を担保するために、図６の（ａ）の文字の大きさに比べ各分割領域１５０の大きさを大きく図示していることに留意されたい。
【００６６】
（効果）
表示装置１によれば、Ｃｕｎｉｔ（文字表示単位領域）を、ＢＬ３３の１つの分割領域１５０に対応させるように、表示部３０にトーク画面を表示させることができる（つまり、トーク画面の表示を制御できる）。従って、例えば、表示部３０にトーク画面を表示させる場合に、ＣＡ（特定領域，例：メッセージエリア）とＢＬＣＡ（ＢＬ特定領域）とを１対１に対応させることができる。同様に、ＮＣＡ（非特定領域）とＢＬＮＣＡ（ＢＬ非特定領域）とを１対１に対応させることもできる。
【００６７】
それゆえ、例えば、ＢＬＣＡの発光強度を維持または向上させ、かつ、ＢＬＮＣＡの発光強度を低下させることができる。その結果、消費電力を低減しつつ、ＣＡのみを選択的に強調できる。このように、表示装置１によれば、ＬＤ機能を利用することにより、メッセージアプリ実行時の消費電力を効果的に低減できる。
【００６８】
さらに、超多分割ＢＬ（Ｋの値が十分に大きいＢＬ）では、ｂｍおよびｂｎのそれぞれの値が十分に大きい。すなわち、ＢＬ３３として超多分割ＢＬを用いることにより、Ｃｖを十分に小さくできる（上述の式（１）を参照）。このため、ＣＡの高さ方向の端部を、分割領域１５０の高さ方向の端部と一致させやすくなる。それゆえ、超多分割ＢＬを用いることにより、表示装置１において、メッセージアプリ実行時の消費電力をより効果的に低減できる。
【００６９】
これに対し、従来の表示装置では、多くの場合、ＢＬにおけるＫの値は十分に小さい。まず、従来の表示装置は、そもそもＬＤ機能を有していない場合が多い。従って、従来の表示装置では、多くの場合、Ｋ＝１である。さらに、従来のＬＤ表示装置（Ｋが１よりも大きい表示装置）においても、Ｋは高々４以下であることが一般的である。特に、現時点では、Ｋが４に達する携帯型の表示装置は、未だ実用化されていない。
【００７０】
従って、従来の表示装置（例：従来ＬＤ表示装置）では、超多分割ＢＬとは異なり、ＣＡの端部を、分割領域１５０の端部と一致させることは困難である。Ｋの値が小さい場合には、１つの分割領域１５０をＣｕｎｉｔに対応させることが困難であるためである。その結果、従来のＬＤ表示装置では、ＬＤ機能を利用した場合であっても、トーク画面の表示時も、ＣＡのみを選択的に強調させることは難しい。このように、表示装置１は、超多分割ＢＬを適用する場合に特に好適である。
【００７１】
さらに、表示装置１は、携帯型の表示装置（例：スマートフォン）に特に好適である。例えば、ユーザが表示装置１を持ち歩いて外出している場合、バッテリ５の充電率（バッテリ残量）が、時間の経過に伴い次第に低下する。但し、ユーザは、このような状況下においても、メッセージアプリを使用したいという心証を抱く場合がある。例えば、一部のユーザは、電車での移動中に、暇つぶしのために、メッセージアプリを頻繁に使用する。
【００７２】
そこで、ユーザの利便性を向上させる観点からは、バッテリ５の長寿命化を図ることが重要である。表示装置１は、メッセージアプリ実行時の消費電力を効果的に低減できるので、バッテリの長寿命化に好適である。
【００７３】
ところで、例えばスマートフォン向けメッセージアプリの製作者（ベンダー）は、ユーザにトークを行わせることにより、金銭的な収入（例：スポンサー収入または課金収入）を得ている場合が多い。従って、トークを行うことが可能な機会をより多くユーザに提供することは、メッセージアプリの製作者にとっても有益である。上述のように、表示装置１によれば、メッセージアプリ実行時の消費電力を効果的に低減できる。その結果、ユーザに「バッテリ５の充電率が低いため、メッセージアプリの使用を控えよう」という心証を抱かせる可能性を低減できる。すなわち、トークを行うことが可能な機会を、より多くユーザに提供できる。
【００７４】
また、領域設定部１２は、メッセージエリア等の初期表示予定位置が分割領域１５０と一致していない場合、メッセージエリア等を最も近い位置に存在する分割領域１５０と一致させている。この場合、最も近い位置に存在する分割領域１５０と一致するように、メッセージエリア等の初期表示予定位置をＨ方向およびＶ方向にスライドさせるように、メッセージエリア等の表示位置を設定すればよい。そのため、メッセージエリア等と分割領域１５０とを比較的容易に一致させることができる。
【００７５】
〔変形例１〕
実施形態１、および後述の実施形態２において、消費電力のさらなる低減の観点からは、トーク画面の表示時には、非特定領域（ＮＣＡ）の明るさは、できるだけ小さく設定されることが好ましい。そこで、主制御部２は、ＮＣＡの明るさを所定の最小値まで低減させて、表示部３０にトーク画面を表示させることが好ましい。一例として、消費電力を効果的に低減する観点からは、所定の最小値は０であることが好ましい。但し、所定の最小値は、０よりも大きい値であってもよい。
【００７６】
一例として、ＢＬデータ生成部２３は、ＢＬデータを補正し、ＢＬＮＣＡ（ＢＬ非特定領域）の輝度を０に設定してもよい。この場合、トーク画面の表示時には、ＢＬ駆動部３４は、ＢＬＮＣＡに含まれる光源３３１の全てを点灯させない（消灯させる）。つまり、トーク画面の表示時に、ＮＣＡを黒表示できる。当該構成によれば、ＢＬＮＣＡを発光させることなくトーク画面を表示できるので、消費電力を特に効果的に低減できる。
【００７７】
〔変形例２〕
図７は、メッセージエリアと分割領域１５０との位置関係の一例を示す図であり、（ａ）は表示位置変更前の位置関係の一例を示す図であり、（ｂ）は表示位置変更後の位置関係の一例を示す図である。
【００７８】
本変形例では、サイズ設定部１１は、Ｃｖ（Ｃｕｎｉｔの高さ）については、上述の式（１）に従って設定するが、Ｃｈ（Ｃｕｎｉｔの幅）については、Ｄｈ（分割領域１５０の幅）の整数倍とならないように設定している。この場合、図７の（ａ）に示すように、領域設定部１２は、Ｖ方向についてはメッセージエリア（ＭＥＳ３）と分割領域１５０とを一致させることができるが、Ｈ方向については一致させることができない場合がある。
【００７９】
この場合、領域設定部１２は、メッセージエリアの初期表示予定位置が分割領域１５０と一致していない場合、Ｖ方向については、メッセージエリアをＶ方向にスライドするようにして、メッセージエリアを分割領域１５０と一致させる。一方、領域設定部１２は、Ｈ方向については、例えば、メッセージエリアの両端部を削除した新たなメッセージエリアを生成することで、メッセージエリアを分割領域１５０と一致させる。例えば図７の（ａ）および（ｂ）に示すように、領域設定部１２は、メッセージエリア（ＭＥＳ３）において、テキストメッセージを含まず、かつ、１つの分割領域１５０の全体と対応しない両端部の領域（ＰＴ１、ＰＴ２）を特定する。領域設定部１２は、当該領域を削除することで新たなメッセージエリア（ＭＥＳ３Ｔ）を生成する。
【００８０】
図８は、本変形例に係る表示装置１の処理の一例について説明するための図である。図８は、本変形例に係る表示装置１の処理を例示するフローチャートである。
【００８１】
Ｓ２の処理後、領域設定部１２は、メッセージエリアの初期表示予定位置を特定し、当該初期表示予定位置が分割領域１５０に一致するか否かを判定する。領域設定部１２は、まずＶ方向において、メッセージエリアと分割領域１５０とが一致しているか否かを判定する。一致していない場合には、領域設定部１２は、メッセージエリアのＶ方向と分割領域１５０のＶ方向とを一致させる（Ｓ１３）。このＶ方向を一致させる処理については、上述した図５のＳ３の処理と同じである。
【００８２】
次に、領域設定部１２は、Ｈ方向について、メッセージエリアの表示位置を設定する（Ｓ１４）。例えば、領域設定部１２は、１つの分割領域１５０の全体と対応しない両端部の領域を特定した後、当該領域を削除した新たなメッセージエリアを生成することで、メッセージエリアのＨ方向の表示位置を設定する。その後、Ｓ４では、領域設定部１２は、この新たなメッセージエリアを特定領域として設定する。
【００８３】
一般に、テキストメッセージは横書きであり、かつ、メッセージエリアの両端部までは表示されない。そのため、Ｈ方向において分割領域１５０と一致するようにメッセージエリアの両端部を削除した新たなメッセージエリアを基準として特定領域を設定したとしても、テキストメッセージをその周囲よりも明るく表示できる。
【００８４】
また、テキストメッセージを明るく表示できればよいため、Ｈ方向においてメッセージエリアと分割領域１５０とを厳密に一致させた新たなメッセージエリアを生成する必要は無い。換言すれば、本変形例では、Ｖ方向においてのみメッセージエリアと分割領域１５０とを厳密に一致させている。そのため、本変形例によれば、Ｖ方向およびＨ方向の両方を厳密に一致させる場合に比べ、演算処理量を削減できる。
【００８５】
〔実施形態２〕
実施形態１では、メッセージエリア、アイコンエリアおよびスタンプエリアが特定領域として設定される場合について説明した。これに限らず、入力エリアバーおよび文字ボタン表示エリアが特定領域として設定されても構わない。
【００８６】
図９の（ａ）は、タッチパネル３（表示部３０）に表示された画面における、特定領域および非特定領域の一例を示す図であり、図９の（ｂ）は、図９の（ａ）に対応するＢＬ特定領域およびＢＬ非特定領域の一例を示す図である。なお、図６と同様、図９の（ｂ）では、図面の明瞭性を担保するために、図９の（ａ）に示すテキストメッセージを構成する各文字の大きさに比べ各分割領域１５０の大きさを大きく図示していることに留意されたい。
【００８７】
入力エリアバーは、文字ボタン表示エリアに表示される各種記号を示す記号ボタンへのユーザ操作が反映される入力記号表示領域である。入力エリアバーには、記号ボタンへのユーザ操作を受け付けるたびに、当該記号ボタンが示す記号が表示される。文字ボタン表示エリアは、各種記号を示す記号ボタンを表示する記号表示領域である。アプリ実行部１０は、分割領域１５０と対応するように、入力エリアバーの位置、および、文字ボタン表示エリアにおける記号ボタンの位置を設定する。
【００８８】
入力エリアバーにおける各種記号を表示する表示単位、および、文字ボタン表示エリアにおける各種記号ボタンのそれぞれは、Ｃｕｎｉｔによって規定されていても構わない。この場合、入力エリアバーも文字ボタン表示エリアも、Ｃｕｎｉｔを基本単位（最小単位）として構成されていることになる。
【００８９】
但し、入力エリアバーには入力エリアバー用の文字表示単位領域、文字ボタン表示エリアには文字ボタン表示エリア用の文字表示単位領域が設定されても構わない。この場合、サイズ設定部１１は、入力エリアバーについては、入力エリアバーに入力される各文字のうちの１つの文字の全体を表示するために割り当てられている領域を文字表示単位領域としても構わない。また、サイズ設定部１１は、文字ボタン表示エリアについては、文字ボタン表示エリアに設定されている各種記号のうちの１つの記号の全体を表示するために割り当てられている領域を文字表示単位領域としても構わない。
【００９０】
実施形態２では、領域設定部１２は、アイコンエリア、メッセージエリア、およびスタンプエリアに加え、入力エリアバーおよび文字ボタン表示エリアを特定領域として設定し、それ以外の領域を非特定領域として設定する。例えば、図９の（ａ）では、領域設定部１２は、アイコンエリア（ＣＡ１）およびメッセージエリア（ＣＡ２）と共に、入力エリアバー（ＣＡ４）および文字ボタン表示エリア（ＣＡ５）を特定領域として設定する。これに対し、領域設定部１２は、トーク画面のうち、ＣＡ１、ＣＡ２、ＣＡ４およびＣＡ５を除いた領域を非特定領域（ＮＣＡ）として設定される。
【００９１】
ＢＬデータ生成部２３は、図９の（ｂ）に示すように、図９の（ａ）のＣＡ１、ＣＡ２、ＣＡ４およびＣＡ５のそれぞれと対応するように、ＢＬ特定領域（ＢＬＣＡ１、ＢＬＣＡ２、ＢＬＣＡ４およびＢＬＣＡ５）を設定する。同様に、ＢＬデータ生成部２３は、図９の（ａ）のＮＣＡに対応するように、ＢＬ非特定領域（ＢＬＮＣＡ）を設定する。つまり、ＢＬＮＣＡは、ＢＬ３３の領域のうち、ＢＬＣＡ１、ＢＬＣＡ２、ＢＬＣＡ４およびＢＬＣＡ５を除いた領域である。
【００９２】
なお、トーク画面にスタンプエリアが表示される場合には、領域設定部１２は、スタンプエリア（ＣＡ３）を特定領域として設定する。ＢＬデータ生成部２３は、ＣＡ３と対応するようにＢＬ特定領域（ＢＬＣＡ３）を設定する。
【００９３】
このように、ＣＡ１〜ＣＡ３に加え、ＣＡ４およびＣＡ５も特定領域として設定することで、ＣＡ１〜ＣＡ３と同様、ユーザが視認する領域として重要であると考えるＣＡ４およびＣＡ５についても、消費電力を低減しつつ選択的に強調できる。このように、実施形態２においては、ＬＤ機能を利用することにより、メッセージアプリ実行時の消費電力をさらに効果的に低減できる。
【００９４】
〔実施形態３〕
上述の図６の例のように、アイコンエリア（ＣＡ１）、メッセージエリア（ＣＡ２）、およびスタンプエリア（ＣＡ３）はいずれも、特定領域に含まれうる。但し、これらの特定領域のうち、例えば、ＣＡ１、および、ＣＡ２のうちテキストメッセージが表示される領域は、トーク時にユーザが特に注意を払う領域であると言える。ＣＡ１には、アイコン画像（トーク相手が誰であるかをユーザに認識させるための重要な画像）が表示されるためである。また、ＣＡ２の上記領域には、トークの実体的な内容であるテキストメッセージが表示されるためである。
【００９５】
そこで、実施形態３では、特定領域を、第１特定領域と第２特定領域との２種類に区分して説明する。以下に述べる例では、特定領域には、第１特定領域と第２特定領域とが含まれているものとする。第１特定領域とは、特定領域のうち、ユーザに対する提示の優先度が他の領域に比べて高い領域を意味する。一例として、第１特定領域とは、ユーザにとっての重要性が特に高い（例：最も高い）特定領域であるとも表現できる。このことから、第１特定領域は、例えば、最重要表示領域と称されてもよい。
【００９６】
これに対し、第２特定領域とは、特定領域のうち、第１特定領域を除いた領域を意味する。つまり、第１特定領域とは、ユーザにとっての重要性が、第１特定領域に比べて低い特定領域である。一例として、第２特定領域とは、ユーザにとっての重要性が中程度の特定領域とも表現できる。このことから、第２特定領域は、例えば、中重要表示領域と称されてもよい。
【００９７】
図１０の（ａ）および（ｂ）は、第１特定領域および第２特定領域の設定例を説明するための図である。実施形態３では、領域設定部１２は、特定領域を、第１特定領域と第２特定領域とに区分する。例えば、領域設定部１２は、図１０に示すように、例えば、特定領域のうち、ＣＡ１、およびＣＡ２の上記領域（ＣＡ２１）を、第１特定領域として設定する。これに対し、領域設定部１２は、ＣＡ２のうち、上記領域以外の領域（ＣＡ２のうち、テキストメッセージを含まない部分；ＣＡ２２）を第２特定領域として設定する。
【００９８】
ここで、特定領域のうちのどの領域を第１特定領域および第２特定領域のいずれとするかは、予め設定されている。そのため、領域設定部１２は、その設定に従って、第１特定領域および第２特定領域を設定する。例えば、領域設定部１２は、メッセージエリアの全体を第１特定領域に設定しても構わないし、アイコンエリアの一部（例：アイコン画像の中央付近）を第１特定領域に設定しても構わない。また、領域設定部１２は、例えばスタンプエリア（ＣＡ３）については、第１特定領域および第２特定領域のいずれかに設定しても構わないし、その一部を第１特定領域に設定しても構わない。
【００９９】
換言すれば、実施形態３では、領域設定部１２は、ＣＡ１、ＣＡ２、およびＣＡ３のうちの少なくとも一部分を第１特定領域として設定し、かつ、当該一部分以外の領域を第２特定領域として設定すればよい。
【０１００】
以下、ＢＬ特定領域のうち、第１特定領域に対応する領域を、ＢＬ第１特定領域と称する。これに対し、ＢＬ特定領域のうち、第２特定領域に対応する領域を、ＢＬ第２特定領域と称する。一例として、ＢＬデータ生成部２３は、（ｉ）ＣＡ１に対応するＢＬ３３の領域（ＢＬＣＡ１）、および、（ｉｉ）ＣＡ２の上記領域（ＣＡ２１）に対応するＢＬ３３の領域（ＢＬＣＡ２の一部）をそれぞれ、ＢＬ第１特定領域として特定する。また、ＢＬデータ生成部２３は、ＣＡ２の上記領域以外の領域（ＣＡ２２）に対応するＢＬ３３の領域（ＢＬＣＡ２の上記一部以外の部分）を、ＢＬ第２特定領域として特定する。
【０１０１】
上述の実施形態１および２では、ＢＬデータ生成部２３は、ＢＬ特定領域とＢＬ非特定領域とで異なる様式によって、ＢＬ３３の発光強度を制御していた。これに対し、実施形態３では、ＢＬデータ生成部２３は、ＢＬ特定領域内においても、異なる様式によって、ＢＬ３３の発光強度を制御する。具体的には、ＢＬデータ生成部２３は、ＢＬ第１特定領域とＢＬ第２非特定領域とで異なる様式によって、ＢＬ３３の発光強度を制御する。
【０１０２】
以下、ＢＬ第１特定領域、ＢＬ第２非特定領域、およびＢＬ非特定領域の発光制御の様々な例について述べる。以下の例では、ＢＬ第１特定領域の輝度をＸ１として表す。Ｘ１は、第１特定領域の明るさに相当する。また、ＢＬ第２特定領域の輝度をＸ２として表す。Ｘ２は、第２特定領域の明るさに相当する。また、ＢＬ非特定領域の輝度をＸ３として表す。Ｘ３は、非特定領域の明るさに相当する。
【０１０３】
以下に述べるように、実施形態３では、（ｉ）Ｘ１＞Ｘ２、Ｘ３、かつ、（ｉｉ）Ｘ２≧Ｘ３となるように、Ｘ１〜Ｘ３が設定されればよい。当該構成によれば、（ｉ）第１特定領域の明るさが、第２特定領域の明るさ、および、上記非特定領域の明るさよりも明るくなるように、かつ、（ｉｉ）第２特定領域の明るさが、非特定領域の明るさ以上となるように、表示部３０にトーク画面を表示させることができる。
【０１０４】
なお、上述の実施形態１および２は、Ｘ１＝Ｘ２＞Ｘ３の場合に相当する。上述のように、上述の実施形態１および２では、Ｘ３は０に設定されてもよいし、０より大きい値に設定されてもよい。
【０１０５】
（第１の例）
ＢＬデータ生成部２３は、Ｘ１＞Ｘ２＞Ｘ３＞０となるように、ＢＬデータを補正する。この場合、第１特定領域が最も明るく表示され、第２特定領域が２番目に明るく表示され、非特定領域が最も暗く表示される。当該構成によれば、非特定領域を表示しつつ、第１特定領域および第２特定領域を強調できる。さらに、第１特定領域を、第２特定領域に比べて強調できる。
【０１０６】
（第２の例）
ＢＬデータ生成部２３は、Ｘ１＞Ｘ２＝Ｘ３＞０となるように、ＢＬデータを補正する。第２の例では、第１の例とは異なり、第２特定領域および非特定領域が同じ明るさで表示される。第２特定領域がユーザにとってそれほど重要性が高い領域ではないと考えられる場合、当該構成を採用してもよい。第２の例によれば、第１の例に比べて、第２特定領域の明るさを暗く設定できるので、消費電力をより効果的に低減できる。
【０１０７】
（第３の例）
ＢＬデータ生成部２３は、Ｘ１＞Ｘ２＞Ｘ３＝０となるように、ＢＬデータを補正する。第３の例では、第１の例とは異なり、Ｘ３が０に設定されている。第３の例によれば、ＢＬ非特定領域を消灯できるので、非特定領域を表示させないことができる（非特定領域を黒表示できる）。それゆえ、消費電力をさらに効果的に低減できる。
【０１０８】
（第４の例）
ＢＬデータ生成部２３は、Ｘ１＞Ｘ２＝Ｘ３＝０となるように、ＢＬデータを補正する。第４の例は、第３の例とは異なり、Ｘ２についても０に設定されている。第３の例によれば、ＢＬ第２特定領域についても消灯できる。つまり、第２特定領域をも表示させないことができる。それゆえ、消費電力を最も効果的に低減できる。
【０１０９】
〔実施形態４〕
図１１は、実施形態４の表示装置１Ａの要部の構成を示す機能ブロック図である。表示装置１Ａは、表示装置１の一変形例である。図１１に示されるように、表示装置１Ａでは、表示装置１とは異なり、表示制御部から液晶データ生成部２４が取り除かれている。表示制御部２０との区別のため、表示装置１Ａの表示制御部を、表示制御部２０Ａと称する。
【０１１０】
具体的には、表示制御部２０Ａでは、表示制御部２０とは異なり、補正後ＢＬデータに応じて液晶データを生成する機能が省略されている。このため、表示装置１Ａでは、表示装置１とは異なり、ＩＭＧ１の画像情報のみに基づき液晶データが生成される。この場合、アプリ実行部１０は、パネル駆動部３１にＩＭＧ１を供給する。パネル駆動部３１は、ＩＭＧ１の画像情報のみに基づき液晶データを生成し、当該液晶データを用いて液晶表示パネル３２を駆動する。
【０１１１】
上述のように、本開示の一態様に係る表示装置では、ＢＬ特定領域の輝度を、ＢＬ非特定領域の輝度に比べて高めることができる。従って、ＩＭＧ１の画像情報のみに基づく液晶データがそのまま使用された場合であっても、特定領域のみを選択的に強調することができる。表示装置１Ａによれば、補正後ＢＬデータに応じて液晶データを生成する処理（ＬＣＤ演算処理）を省略できるので、消費電力をさらに低減できる。
【０１１２】
＜変形例＞
なお、実施形態１の表示装置１において、液晶データ生成部２４にＬＣＤ演算処理を選択的に行わせてもよい。例えば、バッテリ５の充電率に応じて、液晶データ生成部２４におけるＬＣＤ演算処理のＯＮ／ＯＦＦ（実行／不実行）が切り替えられてもよい。
【０１１３】
一例として、バッテリ５の充電率が所定の閾値以上である場合には、実施形態１にて述べたように、液晶データ生成部２４にＬＣＤ演算処理を許可してもよい。これに対し、バッテリ５の充電率が所定の閾値未満である場合には、液晶データ生成部２４にＬＣＤ演算処理を停止させてもよい。当該構成によれば、バッテリ５の充電率が低下した場合にのみ、表示画面（例：トーク画面）の表示品位を選択的に低下させて、消費電力を低減できる。それゆえ、表示品位の向上とバッテリ５の長寿命化とを両立できる。
【０１１４】
〔実施形態５〕
図１２は、実施形態５の表示装置１Ｂの要部の構成を示す機能ブロック図である。表示装置１Ｂは、表示装置１Ａの変形例である。表示装置１Ｂは、表示装置１のさらなる変形例とも言える。図１２に示されるように、表示装置１Ｂでは、表示装置１Ａとは異なり、表示制御部からＢＬデータ生成部２３が取り除かれている。表示制御部２０Ａとの区別のため、表示装置１Ｂの表示制御部を、表示制御部２０Ｂと称する。
【０１１５】
具体的には、表示制御部２０Ｂでは、表示制御部２０Ａとは異なり、ＢＬデータを生成する機能（ＢＬデータ生成機能）が省略されている。表示装置１Ｂでは、分割領域１５０のそれぞれ（より具体的には、分割領域１５０に含まれる光源３３１のそれぞれ）は、点灯／消灯（ＯＮ／ＯＦＦ）の２パターンのみで発光制御される。このようにＢＬ３３の点灯パターンを単純化することにより、ＢＬ駆動部３４はＢＬデータを用いることなく、ＢＬ３３を駆動できる。それゆえ、ＢＬデータ生成機能を省略できる。
【０１１６】
一例として、領域設定部１２は、特定領域情報および非特定領域情報を、ＢＬ駆動部３４に供給する。ＢＬ駆動部３４は、特定領域情報に対応するＢＬ３３の領域を、ＢＬ特定領域として特定する。また、ＢＬ駆動部３４は、非特定領域情報に対応するＢＬ３３の領域を、ＢＬ非特定領域として特定する。そして、ＢＬ駆動部３４は、（ｉ）ＢＬ特定領域を点灯させ、かつ、（ｉｉ）ＢＬ非特定領域を消灯させるように、ＢＬ３３を駆動する。このように、表示装置１Ｂでは、ＢＬ駆動部３４は、特定領域情報および非特定領域情報をＢＬデータとして用いている。
【０１１７】
表示装置１Ｂの構成は、ＢＬ特定領域の輝度を、ＢＬ非特定領域の輝度に比べて高めるための、最もシンプルな構成である。表示装置１Ｂによれば、ＢＬデータを生成する処理（ＢＬデータ生成処理）を省略できるので、表示装置１Ａに比べて、消費電力をさらに低減できる。表示装置１Ｂによれば、最も低い消費電力を実現できる。
【０１１８】
〔実施形態６〕
近年、携帯型の表示装置（例：表示装置１）として、携帯型の情報端末（例：スマートフォンまたはタブレット）が普及している。当該情報端末のサイズは、４インチ〜１０インチ程度にデザインされている場合が多い。４インチサイズの情報端末の場合、タッチパネル３のサイズ（表示部３０のサイズ）は、Ｘ＝５０ｍｍかつＹ＝９０ｍｍ程度にデザインされている。また、１０インチサイズの情報端末の場合、タッチパネル３のサイズは、Ｘ＝１３０ｍｍかつＹ＝２３０ｍｍ程度にデザインされている。
【０１１９】
トーク画面の視認性を考慮すると、Ｃｕｎｉｔのサイズ（換言すれば、トーク画面内における文字のサイズ）には、好適な数値範囲が考えられる。例えば、文字のサイズが小さすぎる場合には、ユーザが当該文字を読むことが困難となる。他方、文字のサイズが大きすぎる場合には、トーク画面内に多くの文字を表示できなくなる。このため、トーク画面によってユーザに多くの情報を提示できなくなるので、当該トーク画面の視認性がかえって低下する。
【０１２０】
以上の点を踏まえ、本願の発明者ら（以下、発明者ら）は、トーク画面の視認性の観点から好適なＣｕｎｉｔのサイズ（より具体的には、Ｃｖの値）は、２ｍｍ〜８ｍｍ程度であると考えた。さらに、発明者らは、当該Ｃｕｎｉｔのサイズに基づいて、Ｋ（ＢＬ分割数，分割領域１５０の個数）の好適な数値範囲について、検討を行った。以下、上述の式（１）において、Ｎ＝１として設定されている場合を例示し、説明する。
【０１２１】
＜検討１：Ｃｕｎｉｔのサイズを２ｍｍ程度に設定する場合＞
（検討１−１）
４インチサイズの情報端末（例：Ｙ＝９０ｍｍ）において、Ｃｕｎｉｔのサイズを２ｍｍ程度に設定する場合を考える。この場合、例えば、ｂｍ＝２５、ｂｎ＝４５として、ＢＬ３３を設計すればよい。この場合、Ｋ＝２５×４５＝１１２５である。式（１）から、Ｃｖ＝９０ｍｍ／４５＝２ｍｍである。
【０１２２】
（検討１−２）
１０インチサイズの情報端末（例：Ｙ＝２３０ｍｍ）において、Ｃｕｎｉｔのサイズを２ｍｍ程度に設定する場合を考える。この場合、例えば、ｂｍ＝６５、ｂｎ＝１１５として、ＢＬ３３を設計すればよい。この場合、Ｋ＝６５×１１５＝７４７５である。式（１）から、Ｃｖ＝２３０ｍｍ／１１５＝２ｍｍである。
【０１２３】
＜検討２：Ｃｕｎｉｔのサイズを８ｍｍ程度に設定する場合＞
（検討２−１）
４インチサイズの情報端末において、Ｃｕｎｉｔのサイズを８ｍｍ程度に設定する場合を考える。この場合、例えば、ｂｍ＝６、ｂｎ＝１１として、ＢＬ３３を設計すればよい。この場合、Ｋ＝６×１１＝６６である。式（１）から、Ｃｖ＝９０ｍｍ／１１＝８．１８ｍｍである。
【０１２４】
（検討２−２）
１０インチサイズの情報端末において、Ｃｕｎｉｔのサイズを８ｍｍ程度に設定する場合を考える。この場合、例えば、ｂｍ＝１６、ｂｎ＝２８として、ＢＬ３３を設計すればよい。この場合、Ｋ＝１６×２８＝４４８である。式（１）から、Ｃｖ＝２３０ｍｍ／２８＝８．２１ｍｍである。
【０１２５】
以上の検討において、Ｋの最小値は６６（検討２−１における値）であり、Ｋの最大値は７４７５（検討１−２における値）であった。以上のことから、トーク画面の視認性の観点からは、６６≦Ｋ≦７４７５として、Ｋを設定することが好ましいと言える。但し、Ｋの値があまりに大きく設定された場合、例えばＢＬ３３の製造コストが非常に高くなりうる。現実的な範囲での製造コストを考慮すると、発明者らは、Ｋ＝１１２５（検討１−１における値）を、Ｋの上限値の目安とすることが好ましいと考えた。
【０１２６】
その上で、発明者らは、Ｋの上限値のマージンを考慮し、Ｋの好適な数値範囲は、例えば、６０≦Ｋ≦１２００と設定できると結論付けた。Ｋが当該数値範囲内に含まれるように設計された表示装置１は、メッセージアプリを実行する場合に特に好適であると言える。このようなＫの数値範囲は、発明者らによって新たに見出されたものである。
【０１２７】
〔実施形態７〕
さらに、発明者らは、Ｃｕｎｉｔの縦横比の好適な数値範囲についても、検討を行った。図１３の（ａ）〜（ｃ）はそれぞれ、Ｃｕｎｉｔの縦横比の好適な数値範囲について説明するための図である。
【０１２８】
図１３の（ａ）に示されるように、一般的なスマートフォン（例：表示装置１）では、タッチパネル３（より具体的には、液晶表示パネル３２）の縦横比は、Ｙ：Ｘ＝１６：９として設計されている。以下、Ｙ／Ｘ＝１６／９＝１．７７８である場合を例示する。
【０１２９】
実施形態７では、縦横比１６：９の１つの表示領域に対して、Ｃｖ：Ｃｈ＝１：１となるように、Ｃｕｎｉｔが設定されるものとする。つまり、縦横比１６：９の１つの表示領域に対して、縦横比１：１のＣｕｎｉｔ（Ｃｖ／Ｃｈ＝１となるＣｕｎｉｔ，正方形のＣｕｎｉｔ）が設定される。
【０１３０】
多くの場合、文字の画像は、Ｃｕｎｉｔの縦横比が１：１程度であることを前提として、メッセージアプリの製作者によって予めデザインされている。この場合、文字の可読性を高めることができる。このことから、Ｃｕｎｉｔの縦横比は、１：１になるべく近い方が好ましいと言える。つまり、Ｃｕｎｉｔは、なるべく正方形に近い形状の矩形として設定されることが好ましい。
【０１３１】
一例として、Ｃｈを基準として（Ｃｈを一定に維持したまま）、Ｃｖを変化させる場合を考える。発明者らは、Ｃｈに対するＣｖの変化量が±１０％以内であれば、文字の可読性が、それほど損なわれないと考えた。このことから、発明者らは、「Ｃｈに対するＣｖの変化量が±１０％以内であれば、Ｃｕｎｉｔは正方形に近い形状の矩形である（正方形の場合も含む）と言える」と考えた。
【０１３２】
ここで、「Ｃｈに対するＣｖの変化量が±１０％以内である」という条件は、
−０．１≦（Ｃｖ−Ｃｈ）／Ｃｈ≦０．１    …（２）
と表すことができる。式（２）を変形すれば、
０．９≦Ｃｖ／Ｃｈ≦１．１    …（３）
が得られる。
【０１３３】
以上のことから、発明者らは、式（３）を満たすように、Ｃｕｎｉｔを設定することが好ましいと結論付けた。つまり、Ｃｕｎｉｔの縦横比の好適な数値範囲は、Ｃｈを基準とすれば（例：Ｃｈ＝１とすれば）、「Ｃｖ：Ｃｈ＝０．９：１」から「Ｃｖ：Ｃｈ＝１．１：１」までと表現できる。式（３）を満たすようにＣｕｎｉｔを設定することにより、文字の可読性の向上を実現できる。
【０１３４】
＜ＢＬ３３の分割例＞
ここで、一例として、Ｋ＝６０（Ｋの好適な数値範囲の最小値）となるようにＢＬ３３を設計する場合を考える。以下の例においても、上述の式（１）において、Ｎ＝１として設定されている場合を考える。従って、サイズ設定部１１は、Ｃｖ＝Ｄｖとして、Ｃｖを設定する。サイズ設定部１１は、Ｃｈ＝Ｄｈとして、Ｃｈを設定する。同様に、サイズ設定部１１は、Ｃｈ＝Ｄｈとして、Ｃｈを設定する。
【０１３５】
（第１の分割例）
図１３の（ｂ）の例（第１の分割例）では、ＢＬ３３は、横方向に６分割され、かつ、縦方向に１０分割されている。つまり、ｂｍ＝６、ｂｎ＝１０である。この場合、Ｃｈ＝Ｘ／６、Ｃｖ＝Ｙ／１０である。
【０１３６】
従って、
Ｃｖ／Ｃｈ＝｛（Ｙ／１０）／（Ｘ／６）｝
＝（３／５）×（Ｙ／Ｘ）＝（３／５）×（１６／９）
＝４８／４５≒１．０６７
となる。
【０１３７】
このように、第１の分割例では、Ｃｖ：Ｃｈ＝１．０６７：１である。第１の分割例では、式（３）が満たされる。それゆえ、第１の分割例は、ＢＬ３３の好適な分割例の一具体例であると言える。
【０１３８】
（第２の分割例）
図１３の（ｃ）の例（第２の分割例）では、ＢＬ３３は、横方向に５分割され、かつ、縦方向に１２分割されている。つまり、ｂｍ＝５、ｂｎ＝１２である。この場合、Ｃｈ＝Ｘ／５、Ｃｖ＝Ｙ／１２である。
【０１３９】
従って、
Ｃｖ／Ｃｈ＝｛（Ｙ／１２）／（Ｘ／５）｝
＝（５／１２）×（Ｙ／Ｘ）＝（５／１２）×（１６／９）
＝２０／２７≒０．７４１
となる。
【０１４０】
このように、第２の分割例では、Ｃｖ：Ｃｈ＝０．７４１：１である。第２の分割例では、式（３）が満たされない。それゆえ、第２の分割例を採用した場合は、第１の分割例を採用した場合に比べ、文字の可読性が低下しうる。第２の分割例は、ＢＬ３３の好適な分割例に対しての一比較例であると言える。
【０１４１】
〔ソフトウェアによる実現例〕
表示装置１〜１Ｂの制御ブロック（特に主制御部２）は、集積回路（ＩＣチップ）等に形成された論理回路（ハードウェア）によって実現してもよいし、ソフトウェアによって実現してもよい。
【０１４２】
後者の場合、表示装置１〜１Ｂは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本開示の一態様の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本開示の一態様は、上記プログラムが電子的な伝送によって具現化された、搬送波に埋め込まれたデータ信号の形態でも実現され得る。
【０１４３】
〔付記事項〕
本開示の一態様は上述した各実施形態に限定されるものではなく、請求項に示した範囲で種々の変更が可能であり、異なる実施形態にそれぞれ開示された技術的手段を適宜組み合わせて得られる実施形態についても本開示の一態様の技術的範囲に含まれる。さらに、各実施形態にそれぞれ開示された技術的手段を組み合わせることにより、新しい技術的特徴を形成できる。
【符号の説明】
【０１４４】
１、１Ａ、１Ｂ  表示装置
２      主制御部（制御装置）
３０    表示部
３３    ＢＬ（バックライト）
１５０  分割領域
ＣＡ    特定領域
ＣＡ１  アイコンエリア（アイコン表示領域、特定領域）
ＣＡ２  メッセージエリア（メッセージ表示領域、特定領域）
ＣＡ３  スタンプエリア（特定画像表示領域、特定領域）
ＣＡ２１  第１特定領域
ＣＡ２２  第２特定領域
ＮＣＡ    非特定領域
Ｃｎｉｔ  文字表示単位領域
【図１】
2020003570.tif 000003
【図２】
2020003570.tif 000004
【図３】
2020003570.tif 000005
【図４】
2020003570.tif 000006
【図５】
2020003570.tif 000007
【図６】
2020003570.tif 000008
【図７】
2020003570.tif 000009
【図８】
2020003570.tif 000010
【図９】
2020003570.tif 000011
【図１０】
2020003570.tif 000012
【図１１】
2020003570.tif 000013
【図１２】
2020003570.tif 000014
【図１３】
2020003570.tif 000015